(57)【要約】      （修正有）【課題】照明スイッチの操作性を改善し、人感センサーによる一定時間点灯を適切に行い、再点灯を容易にし、死角も失くす照明制御の補助方法を提供する。【解決手段】光や赤外線の遮断や振動センサー１１、マイク４等を使用して、手の操作だけでなく、何処でも自在に照明の入切を可能にする。またそれらにより、人感センサーの死角を、センサーで補い、点灯時間を延長し、消灯した場合でも操作場所を限定せずに再点灯を可能にする事で一定時間で消えてしまう問題点を解消する。【選択図】図１
2018110069.tif 000002
【特許請求の範囲】
【請求項１】
スイッチの操作で照明が一定時間の点灯に制御されてる設備に追加するセンサーとして、
振動、マイク、対物距離、光、赤外線、感圧、人感、タッチの内の一以上のセンサー
を照明範囲に設置し、該センサーの感知を信号処理して、該一定時間を変える、或は再点灯をする照明の制御方法。
【請求項２】
人感センサーを使用して照明が一定時間の点灯に制御されてる設備に置いて、該人感センサーの補助として、感知対象の静止時の感知をするように振動、マイク、対物距離、光、赤外線、感圧、タッチの内の一以上のセンサーを設置し、該センサーの感知を信号処理して、該一定時間を変える、或は再点灯をする照明の制御方法。
【請求項３】
人感センサーを使用して照明を制御してる設備に置いて、該人感センサーの補助として、該人感センサーの感知の死角に、或は該照明の範囲を補なう或は確保に、振動、マイク、対物距離、光、赤外線、感圧、人感、タッチの内の一以上のセンサーを設置し、該センサーの感知を信号処理して、該制御の条件に追加する照明の制御方法。
【請求項４】
固定されたスイッチやセンサーで照明を制御してる設備の照明範囲に追加するセンサーとして、人の存在を常時感知するように或は、人の動きを感知するように光や赤外線の通路を設けて、該通路の遮断を信号処理して、該制御の条件に追加する照明の制御方法。
【請求項５】
固定されたスイッチやセンサーで照明を制御してる設備の照明範囲に追加するセンサーとして、人や物による振動を感知するように振動センサーを設置して、該センサーの感知を信号処理して、該制御の条件に追加する照明の制御方法。
【請求項６】
固定されたスイッチやセンサーで照明を制御してる設備の照明範囲に追加するセンサーとして、マイクを設置して人の声や音声認識や物の接触により発生された該マイクの信号を信号処理して、該制御の条件に追加する照明の制御方法。
【請求項７】
固定されたスイッチやセンサーで照明を制御してる設備の照明範囲に追加するセンサーとして、対物距離センサーを設置して、対物との距離の変化を信号処理して、該制御の条件に追加する照明の制御方法。
【請求項８】
固定されたスイッチやセンサーで照明を制御してる設備の照明範囲に追加するセンサーとして、人や物による重さを感知するように感圧センサーを設置して、該感圧センサーの感知を信号処理して、該制御の条件に追加する照明の制御方法。
【請求項９】
固定されたスイッチやセンサーで照明を制御してる設備の照明範囲に追加するセンサーとして、タッチセンサーを設置して、該タッチセンサーの感知を信号処理して、該制御の条件に追加する照明の制御方法。
【請求項１０】
手摺や手摺の周囲で、人や物による振動が伝わる範囲に、振動センサーを設置して、該センサーの感知を信号処理して、照明の制御に使う照明の制御方法。
【請求項１１】
手摺や手摺の周囲で、人が手摺を触る一連の動作により光や赤外線の通路を遮断するように光や赤外線の送受信装置による通路を設置し、該通路の遮断を信号処理して、照明の制御に使う照明の制御方法。
【請求項１２】
手摺にタッチセンサーを設置して、該タッチセンサーの感知を信号処理して、照明の制御に使う照明の制御方法。
【発明の詳細な説明】
【技術分野】
【０００１】
人感センサーの以下の問題点、センサーとしては点灯への感知だけの為、タイマーにも頼り、点灯時間と消灯に対しての動作は適切ではない、対象が静止時には感知しない、感知や操作範囲が限られ死角ができる場合も、これらに対して、赤外線、振動、マイク、感圧等のセンサーを使用して補う或は、代替となる制御方法を提供する。
スイッチで一定時間点灯にしてる設備も操作範囲が限られ、点灯時間と消灯に対しての動作も適切ではない。
又、その利用により、通常のスイッチと照明だけの設備の操作性も改善でき、或は自動制御も可能にする。
【背景技術】
【０００２】
人感センサー使用での自動点灯の実際は、センサー感知に一定時間点灯を組み合わせる事で実用化されている。１つには、感知信号自体の短さ、対象が静止時には感知しない、感知範囲が限られてるのを補っている・・言い方を変えれば誤魔化しての点灯もある。その為に実際には不便が生じる場合があり、設置に向かない場合や場所もある。
また一定時間点灯に置いては、その時間設定により無駄或は逆に、不足にもなってしまう。静止時の不感知には別のアプローチにより対策されてる物は存在はするが、センサー自体は静止時に感知しないのは変わりない。更に、感知範囲は３６０度全てに高感度にするのはレンズの工夫でも実現できず、配置する場所によっては死角も生まれる。
【０００３】
前記の事は、人感センサーを使わずにスイッチによる一定時間点灯の設備でも、ほぼ同様である。
次に、通常のスイッチと照明だけの設備に置いても、固定された場所にしかない、その操作面積も狭い、手が放せない、障害等で操作し難い、人感センサーでは近付いただけで勝手に点灯される、等の諸問題がある。
センサーによる消灯への積極的な対策も、これまでには無かった。
【先行技術文献】
【特許文献】
【０００４】
【特許文献１】中特抄１０２７１５７３９
【特許文献２】中特抄１０３３０９２８５
【特許文献３】ＪＰＡ＿２００１５２３１８６
【発明の概要】
【発明が解決しようとする課題】
【０００５】
タイマーや人感センサーにより一定時間点灯にしてある階段や廊下などの照明に置いて、途中で消えてしまった場合、再点灯には暗い中移動しなければできない場合がある。不便は勿論、危険な場合もあり設置できない場所もある。何処でも自在に照明の点灯を可能にする事でその問題点を解消する。それは今まで余り考えられて来なかった自動点灯に対する、自動消灯への制御も可能にする。
それは、固定されたスイッチの設備に置いても操作性を良くする事であり、手が塞がってる状態や障害者にも対応し、一定時間点灯や自動消灯への変更も可能にする。負荷は換気扇でも同じである。
【課題を解決するための手段】
【０００６】
スイッチの操作で照明が一定時間の点灯に制御されてる設備に追加するセンサーとして、
振動、マイク、対物距離、光、赤外線、感圧、人感、タッチの内の一以上のセンサー
を照明範囲に設置し、該センサーの感知を信号処理して、該一定時間を変える、或は再点灯をする
これは固定されて操作面積も狭いスイッチに対して、照明範囲内のセンサーの感知を、既定の一定時間を延ばしたり或は逆に消灯可能と判断する事で適正な一定時間点灯を可能にし、更には何処でも自在なスイッチの便利さも提供する。スイッチの代わりにセンサー使用の設備に置いても同様である。
【０００７】
人感センサーを使用して照明が一定時間の点灯に制御されてる設備に置いて、該人感センサーの補助として、感知対象の静止時の感知をするように振動、マイク、対物距離、光、赤外線、感圧、タッチの内の一以上のセンサーを設置し、該センサーの感知を信号処理して、該一定時間を変える、或は再点灯をする。
【０００８】
人感センサーを使用して照明を制御してる設備に置いて、該人感センサーの補助として、該人感センサーの感知の死角に、或は該照明の範囲を補なう或は確保に、振動、マイク、対物距離、光、赤外線、感圧、人感、タッチの内の一以上のセンサーを設置し、該センサーの感知を信号処理して、該制御の条件に追加する。
【０００９】
固定されたスイッチやセンサーで照明を制御してる設備の照明範囲に追加するセンサーとして、人の存在を常時感知するように或は、人の動きを感知するように光や赤外線の通路を設けて、該通路の遮断を信号処理して、該制御の条件に追加する。
【００１０】
固定されたスイッチやセンサーで照明を制御してる設備の照明範囲に追加するセンサーとして、人や物による振動を感知するように振動センサーを設置して、該センサーの感知を信号処理して、該制御の条件に追加する。
【００１１】
固定されたスイッチやセンサーで照明を制御してる設備の照明範囲に追加するセンサーとして、マイクを設置して人の声や音声認識や物の接触により発生された該マイクの信号を信号処理して、該制御の条件に追加する
【００１２】
固定されたスイッチやセンサーで照明を制御してる設備の照明範囲に追加するセンサーとして、対物距離センサーを設置して、対物との距離の変化を信号処理して、該制御の条件に追加する
【００１３】
固定されたスイッチやセンサーで照明を制御してる設備の照明範囲に追加するセンサーとして、人や物による重さを感知するように感圧センサーを設置して、該感圧センサーの感知を信号処理して、該制御の条件に追加する。
【００１４】
固定されたスイッチやセンサーで照明を制御してる設備の照明範囲に追加するセンサーとして、タッチセンサーを設置して、該タッチセンサーの感知を信号処理して、該制御の条件に追加する。
【００１５】
手摺や手摺の周囲で、人や物による振動が伝わる範囲に、振動センサーを設置して、該センサーの感知を信号処理して、照明の制御に使う。
【００１６】
手摺や手摺の周囲で、人が手摺を触る一連の動作により光や赤外線の通路を遮断するように光や赤外線の送受信装置による通路を設置し、該通路の遮断を信号処理して、照明の制御に使う。
【００１７】
手摺にタッチセンサーを設置して、該タッチセンサーの感知を信号処理して、照明の制御に使う。
【発明の効果】
【００１８】
固定されたスイッチの不便さを解消する。人感センサーの死角にも対応できる。制御区間の途中で消えてしまっても、即その場で点灯させられる。設定された一定時間の自動調整も可能となり、体が不自由な方、或はお年寄りにも便利で、今までの問題点に失くし、且つ自動或は一定時間点灯の利便性が増す。今まで導入できなかった場所にも利用範囲が広がる。また、余裕を取ってた一定時間の設定も短く済み節電にもなる。
【００１９】
人感センサーでは、死角を失くすために多めに設置する必要もなくなる。
【００２０】
固定スイッチによる照明の操作やその場所にも限定されずに、照明の入切が自在にできる。
【図面の簡単な説明】
【００２１】
【図１】階段がある部屋の上面図
【図２】手摺と壁を斜め上から見た図
【図３】光・赤外線送受信装置６の信号は無線１９で、他のセンサー４，１２は内蔵で、照明内部で信号処理をして点灯制御する照明
【図４】センサーと信号処理装置を内蔵した照明器具
【図５】壁にある人感センサーパネルにマイクを内蔵し、その死角をカバーする有線接続された光・赤外線送受信装置６
【図６】スイッチパネルの一例。
【発明を実施するための形態】
【００２２】
図１は、壁１、床９、階段２の上面図であり各種のセンサーの配置の例を示した。これ等のセンサーは有線または無線にて、信号処理装置２０に送られ照明を制御する。信号処理装置２０は、センサーの信号を受けて点灯時間の調整や再点灯或は消灯への判断をするものであり図４には明示したが、必ず必要なものであり、スイッチパネル１５の内部でも、図３，４のように照明や照明器具に、或はセンサーに内蔵して直接照明を制御しても良い。
壁にはスイッチパネル１５が照明範囲の両端に付いてるが、振動、マイク、対物距離、光、赤外線、感圧、人感の内の一以上のセンサーでも自動制御可能なので、必然なものではない、又マイク４や光・赤外線送受信装置６が照明範囲内の音や音声或は、光・赤外線の遮断で照明制御の手段になる。この例では、光・赤外線の中継器８の使用例も記載した。
手摺１０の振動センサーでも手摺や壁の振動を感知して照明の制御が可能。
階段２に対しては、その両端にセンサー１２〜１４のどれかの感知で位置情報を利用したより細やかな照明制御も可能となる。勿論、他のセンサーも位置情報を利用しても良い。
或は、照明範囲の階段に光・赤外線の通路を作って人の感知をしての照明制御も可能である。
【００２３】
図２は、壁に付けた手摺の図であるが、光・赤外線送受信装置６は手摺沿いの遮断を感知する。ここでは手摺の上部、横、足の３系統であるが、勿論どれか１つでも良い。手摺横に設置されてる４つの送受信装置の両端以外の２つは中継の機能になるが、手摺の角度や段差にも対応可能であり、そうでなければ省略も可能である。
１２のように手摺の周囲で感知しても良い。
【００２４】
図３は、電球１７の下側に振動、人感、距離センサーのどれか一つ以上１２とマイク４を設置し、それらセンサーの感知範囲外を或は操作性を良くする為に、光・赤外線送受信装置６は外部に設置し。この例では無線でその信号を受け取る。
【００２５】
図４は、センサー４，１１に対しての信号処理装置２０を明示し照明器具１８に内蔵した例。
【００２６】
図５では、スイッチパネルのスイッチの代わりに人感センサーが照明の制御をしている例。人感センサーの全面中心部以外はカバー仕切れないので、マイク４と光・赤外線送受信装置６が補助するセンサーとなっている。
マイク４で音声或は音を拾い、光・赤外線送受信装置６では照明する範囲の人感センサーの感知範囲外を感知する事で、消灯時には点灯へ、点灯中では無視するか、人感センサーの点灯時間を延ばす信号処理をする事で、照明区間の完全な照明制御を実現する。勿論、これ以外のセンサーでの補助でも良い。
【００２７】
図６はスイッチパネルのスイッチ５の補助に、
振動センサー１１の感知はスイッチパネルと壁の振動を感知可能で、足元の近くの壁を蹴っても良い。
赤外線送受信装置６は、スイッチパネルに受信部で角度変更も可能にして、対する送信部は電池式で必要な場所に貼り付けても良い。その遮断で制御信号とする。
距離センサー２２は、スイッチパネルの前に立つとかジェスチャー動作を感知する。人感センサーよりも感知範囲を制限し、しかもスイッチ操作に近い操作性を可能にする。
【符号の説明】
【００２８】
１・・壁
２・・階段
３・・ドア
４・・マイク
５・・照明入切スイッチ
６・・光・赤外線送受信装置。赤外線或は光の、送信或は受信或は送受信装置
７・・赤外線又は光
８・・中継用赤外線或は光の送受信装置
９・・床
１０・・手摺
１１・・振動センサー
１２・・振動、人感、距離センサーのどれか一つ以上
１３・・赤外線或は光の送信或は受信装置
１４・・感圧マット
１５・・スイッチパネル
１６・・手摺取付部品
１７・・照明
１８・・照明器具
１９・・無線の伝搬
２０・・信号処理装置
２１・・人感センサー
２２・・距離センサー
２３・・無線受信装置
２４・・配線
【図１】
2018110069.tif 000003
【図２】
2018110069.tif 000004
【図３】
2018110069.tif 000005
【図４】
2018110069.tif 000006
【図５】
2018110069.tif 000007
【図６】
2018110069.tif 000008